(57)【要約】【課題】ブラインド等の遮光手段の状態に応じて、使用者の利便に資すると共に、適切な照度を得るべく調光制御を行うことができるように構成された照明装置、及び該照明装置と光を遮蔽する遮光手段とを備える照明制御システムを提供する。【解決手段】周囲の明るさに応じて光源１３の光出力の目標値を決定し、決定した目標値に基づいて光源１３を点灯する照明装置１において、光を遮蔽する電動ブラインド２の状態を示す情報に基づいて、前記目標値を補正するように構成してある。この結果、電動ブラインド２により制限しながら室外光を取り入れる場合においても、適切な照度を得ることが可能となる。電動ブラインド２の開閉状態を示す情報に基づいて、照明装置１の調光制御を行っているから、使用者の好みに応じて電動ブラインド２の状態を変更した場合においても、適切な調光制御を行うことができ、使用者の利便に資する。【選択図】図１
2010186700.tif 000002
【特許請求の範囲】
【請求項１】
周囲の明るさに応じて光源の光出力の目標値を決定し、決定した目標値に基づいて前記光源を点灯する照明装置において、
光を遮蔽する遮光手段の状態を示す情報に基づいて、前記目標値を補正するように構成してあることを特徴とする照明装置。
【請求項２】
周囲の明るさを検出する照度センサと、検出された明るさに応じて前記目標値を決定する決定手段と、前記遮光手段からの情報を受信する受信手段と、受信された情報に応じて前記目標値を補正する補正手段と、補正された目標値になるように前記光源の光出力を制御する制御手段とを備えることを特徴とする請求項１に記載の照明装置。
【請求項３】
前記目標値を変更する操作を受け付ける変更手段を備えていることを特徴とする請求項１又は２に記載の照明装置。
【請求項４】
前記遮光手段からの情報に基づいて、該遮光手段に所定の状態変化があると判定されたとき、前記光源の光出力を制御する調光制御時間を変えるように構成してあることを特徴とする請求項１から３の何れか一つに記載の照明装置。
【請求項５】
人の存否を検出する人検出手段を備え、前記決定手段は、前記人検出手段により検出された人の存否に応じて前記目標値を変更するように構成してあることを特徴とする請求項２から４の何れか一つに記載の照明装置。
【請求項６】
光を遮蔽する遮光手段と、請求項１から５の何れか一つに記載の照明装置とを備えることを特徴とする照明制御システム。
【請求項７】
前記遮光手段は、スラットの角度を変更することにより遮光可能なブラインドであり、前記遮光手段の開閉情報を前記照明装置に送信するように構成してあることを特徴とする請求項６に記載の照明制御システム。
【請求項８】
前記遮光手段は、スラットの角度変更及び／又は昇降動作を行う駆動手段と、該駆動手段の動作に応じた前記遮光手段の開閉情報を送信する送信手段とを備えることを特徴とする請求項７に記載の照明制御システム。
【請求項９】
前記送信手段及び受信手段は赤外線通信方式であることを特徴とする請求項８に記載の照明制御システム。
【発明の詳細な説明】
【技術分野】
【０００１】
本発明は、周囲の明るさに応じて光源の光出力を制御するように構成された照明装置、及び該照明装置と光を遮蔽する遮光手段とを備え、該遮光手段に連携して前記照明装置を制御するように構成してある照明制御システムに関する。
【背景技術】
【０００２】
住宅、オフィス等の室内の照明に用いられる照明装置として、白熱電球、蛍光灯、発光ダイオード（以下、ＬＥＤと略す）等の光源を備える照明装置が用いられている。照明装置近傍の明るさは、該照明装置の光源が発する光、窓から入射する太陽光又は他の照明装置の光源が発する光等により影響を受ける。従来、照明装置近傍の明るさを所望の明るさに自動的に調整すべく、照度センサにより与えられた検出値に応じて光源の光出力を制御するように構成された照明制御システムが提案されている（例えば、特許文献１参照）。
【０００３】
特許文献１に開示された照明制御システムは、照度センサと、該照度センサによる測定照度に基づいて照明装置に対する調光レベルを演算する調光制御装置と、該調光制御装置から調光レベル信号を受けて、照明装置の照度を調節する調光端末器とを備えている。そして、照度センサにより所定の検出期間内に検出された検出値の中から変化量が基準レベルに対して許容範囲内にある検出値のみを抽出することにより、ノイズによる影響を除去した正確な測定照度に基づいて、照明装置の照度を調節するように構成してある。
【０００４】
特許文献１に係る照明制御システムにおいては、照度センサにより検出した照度に基づいて調光制御を行っているから、窓から入射する太陽光等の室外光により室内が明るい場合は、照明装置の照度を抑え、検出される照度が一定の目標値になるように制御することができる。ところが、窓に設けたブラインドにより光の入射が制限された場合、明るくなる範囲が限定されるため、照度センサにより検出された照度と実際に明るさが必要となる場所での照度（例えば、机上照度）との間にズレが生じ、適切な調光制御ができないという問題があった。
【０００５】
また、近年、省エネルギ化を図りつつ適切な調光制御を行うべく、光を遮蔽する遮光手段と照明装置とを連携させて制御するように構成された照明制御システムが提案されている（例えば、特許文献２参照）。
【０００６】
特許文献２に開示された照明制御システムは、窓からの室外光の入射を制御する室外光制御手段（遮光手段）と、室内を照らす照明装置と、室外光の照度を計測する室外光照度計と、照明装置による室内光の照度を計測する室内光照度計と、室外光照度計及び室内光照度計により夫々計測された照度の積算値が、時間帯毎に予め定める比率で略一定となるように照明装置の照度及び室外光制御手段における入射光レベルを調整する制御手段とを備えている。
【０００７】
特許文献２に係る照明制御システムにおいては、室外光照度計及び室内光照度計の２つの照度計により計測した照度の積算値に基づいて、これらの比率が時間帯毎に予め定める比率で略一定になるように前記照度及び入射光レベルの調節を行い、室内光の照度が不足している場合は、照明装置の照度を増すことにより必要な照度を確保可能なように構成してある。この結果、室外光を取り入れて省エネルギ化を図りつつ、必要な照度を確保することができる。
【先行技術文献】
【特許文献】
【０００８】
【特許文献１】特開２００２−９８５８８号公報
【特許文献２】特開２００６−２１００４５号公報
【発明の概要】
【発明が解決しようとする課題】
【０００９】
特許文献２に係る照明制御システムにおいては、室外光制御手段における入射光レベルであるブラインドのスラットの角度を、室外光及び室内光の照度の積算値に基づいて変更するように構成してある。このため、同一時間帯であっても天気によりブラインドのスラットの角度が異なることになり、使用者に違和感を与える虞があった。そして、この照明制御システムは、使用者が好みに応じてブラインドのスラットの角度を変更する場合を想定しておらず、使用者の利便を図りつつ、適切な調光制御を行うようには構成されていない。
【００１０】
本発明は斯かる事情に鑑みてなされたものであり、ブラインド等の遮光手段の状態に応じて、使用者の利便に資すると共に、適切な照度を得るべく調光制御を行うことができるように構成された照明装置、及び該照明装置と光を遮蔽する遮光手段とを備え、遮光手段に連携して前記照明装置の調光制御を適切に行うことができる照明制御システムを提供することを目的とする。
【課題を解決するための手段】
【００１１】
本発明に係る照明装置は、周囲の明るさに応じて光源の光出力の目標値を決定し、決定した目標値に基づいて前記光源を点灯する照明装置において、光を遮蔽する遮光手段の状態を示す情報に基づいて、前記目標値を補正するように構成してあることを特徴とする。
【００１２】
本発明にあっては、周囲の明るさに応じて光源の光出力の目標値を決定し、決定した目標値を遮光手段の状態を示す情報に基づいて補正するように構成してある。遮光手段の状態を示す情報に基づいて、例えば、ブラインド等の遮光手段を用いた太陽光等の室外光の室内への入射の調節によって、室内の天井方向が明るくなる状態、床方向が明るくなる状態、又は全体が明るくなる状態等の入射光が照明装置の周囲の明るさに及ぼす影響を考慮して、前記目標値を適切に補正する。これにより、遮光手段により制限しながら室外光を取り入れる場合においても、適切な照度を得ることが可能となる。遮光手段の状態を示す情報に基づいて、照明装置の調光制御を行っているから、使用者の好みに応じて遮光手段の状態を変更した場合においても、適切な調光制御を行うことができ、使用者の利便に資する。
【００１３】
本発明に係る照明装置は、周囲の明るさを検出する照度センサと、検出された明るさに応じて前記目標値を決定する決定手段と、前記遮光手段からの情報を受信する受信手段と、受信された情報に応じて前記目標値を補正する補正手段と、補正された目標値になるように前記光源の光出力を制御する制御手段とを備えることを特徴とする。
【００１４】
本発明にあっては、照度センサにより周囲の明るさを検出し、検出された明るさに応じて決定手段により光源の光出力の目標値を決定し、決定された目標値を受信手段により受信した遮光手段からの情報に応じて補正し、補正された目標値になるように制御手段により光源の光出力を制御するように構成してある。遮光手段の状態を示す情報に基づいて、入射光が照明装置の周囲の明るさに及ぼす影響を考慮して、前記目標値を適切に補正することにより、遮光手段により制限しながら室外光を取り入れる場合においても、適切な照度を得ることが可能となる。遮光手段の状態を示す情報に基づいて、照明装置の調光制御を行っているから、使用者の好みに応じて遮光手段の状態を変更した場合においても、適切な調光制御を行うことができ、使用者の利便に資する。
【００１５】
本発明に係る照明装置は、前記目標値を変更する操作を受け付ける変更手段を備えていることを特徴とする。
【００１６】
本発明にあっては、変更手段により前記目標値を変更する操作を受け付けるように構成してあるから、設置場所の窓からの距離、天井及び床面の反射率の違いによる照度センサの計測値の違いを補正すべく、又は使用者の好みにより、照度センサの計測値に対する調光制御の目標値を変更して、所望の明るさを得ることができる。この結果、使用者の利便に資すると共に、照明装置の調光制御を適切に行うことができる。
【００１７】
本発明に係る照明装置は、前記遮光手段からの情報に基づいて、該遮光手段に所定の状態変化があると判定されたとき、前記光源の光出力を制御する調光制御時間を変えるように構成してあることを特徴とする。
【００１８】
本発明にあっては、遮光手段に所定の状態変化があると判定されたとき、光源の光出力を制御する調光制御時間を変えるように構成してある。例えば、遮光手段としてのブラインドを開状態から閉状態へと変更した場合に、換言すると天候の変化ではなく人為的な操作により明るさが変化した場合に、通常の調光制御時間よりも短くすることにより、短時間で必要な調光制御を行うことが可能となり、使用者の利便に資する。
【００１９】
本発明に係る照明装置は、人の存否を検出する人検出手段を備え、前記決定手段は、前記人検出手段により検出された人の存否に応じて前記目標値を変更するように構成してあることを特徴とする。
【００２０】
本発明にあっては、人の存否を検出する人検出手段により検出された人の存否に応じて前記目標値を変更するように構成してあるから、人が居ないときは、明るさを抑えるように前記目標値を設定することにより、省エネルギ化を図ることができる。
【００２１】
本発明に係る照明制御システムは、光を遮蔽する遮光手段と、前述の発明に記載の照明装置とを備えることを特徴とする。
【００２２】
本発明にあっては、光を遮蔽する遮光手段と、前述の発明に記載の照明装置とを備えているから、ブラインド等の遮光手段の状態に応じて、使用者の利便に資すると共に、遮光手段に連携して適切な照度を得ることが可能なように前記照明装置の調光制御を適切に行うことができる。
【００２３】
本発明に係る照明制御システムは、前記遮光手段は、スラットの角度を変更することにより遮光可能なブラインドであり、前記遮光手段の開閉情報を前記照明装置に送信するように構成してあることを特徴とする。
【００２４】
本発明にあっては、遮光手段としてブラインドを用い、ブラインドの開閉情報を照明装置に送信するように構成してあるから、ブラインドにより太陽光等の室外光の入射が制限された場合にも、照明装置の調光制御を適切に行うことができ、適切な照度を得ることができる。
【００２５】
本発明に係る照明制御システムは、前記遮光手段は、スラットの角度変更及び／又は昇降動作を行う駆動手段と、該駆動手段の動作に応じた前記遮光手段の開閉情報を送信する送信手段とを備えることを特徴とする。
【００２６】
本発明にあっては、スラットの角度変更及び／又は昇降動作を行う駆動手段と、該駆動手段の動作に応じた遮光手段の開閉情報を送信する送信手段とを備えており、スラットの角度及び／又は昇降に応じて照明装置の調光制御を適切に行うことが可能となり、適切な照度を得ることができる。
【００２７】
本発明に係る照明制御システムは、前記送信手段及び受信手段は赤外線通信方式であることを特徴とする。
【００２８】
本発明にあっては、遮光手段の送信手段と照明装置の受信手段とが赤外線通信方式であるから、通信方向を合わせるだけで１対１、又は１対複数の組合せを簡単に設定することができる。
【発明の効果】
【００２９】
本発明によれば、ブラインド等の遮光手段の状態に応じて、使用者の利便に資すると共に、遮光手段に連携して適切な照度を得るべく照明装置の調光制御を適切に行うことができる。
【図面の簡単な説明】
【００３０】
【図１】本発明の実施の形態１に係る照明制御システムの全体構成を示す模式図である。
【図２】本発明の実施の形態１に係る照明制御システムの主要部の制御系の構成を示すブロック図である。
【図３】実施の形態１に係る照明装置の調光制御の処理手順を示すフローチャートである。
【図４】本発明の実施の形態２に係る照明制御システムの主要部の制御系の構成を示すブロック図である。
【発明を実施するための形態】
【００３１】
以下、本発明をその実施の形態を示す図面に基づいて詳述する。
（実施の形態１）
図１は、本発明の実施の形態１に係る照明制御システムの全体構成を示す模式図である。図２は、本発明の実施の形態１に係る照明制御システムの主要部の制御系の構成を示すブロック図である。
【００３２】
本実施の形態に係る照明制御システムは、室内に設置され、部屋を全体的に照明する照明装置１と、窓に設けられ、光を遮蔽する遮光手段としての電動ブラインド２と、照明装置１への使用者による操作を受け付ける赤外線リモートコントローラ３（以下、リモコンと略す）と、建物全体のブラインドを制御する電動ブラインド２を制御するブラインド集中制御装置４とを備えている。
【００３３】
照明装置１は、図１に示すように、扁平な細長い直方体形状を有し、照明光の出射側の面が略長方形をなしている。照明装置１の長手方向の一側には、照明装置１の周囲の明るさを検出する照度センサ１１が設けてある。照度センサ１１は、例えば、フォトトランジスタ、フォトダイオード等の受光部を備えるそれ自体公知の照度センサであり、詳細な説明は省略する。
【００３４】
照度センサ１１には、図２に示すように、制御部１２が接続してある。制御部１２は、Ａ／Ｄ変換部１２１と、出力決定部（決定手段）１２２と、記憶部１２３と、タイマー部１２４と、出力制御部１２５とを備えている。出力決定部１２２には、Ａ／Ｄ変換部１２１、記憶部１２３、タイマー部１２４及び出力制御部（制御手段）１２５が夫々接続してある。
【００３５】
Ａ／Ｄ変換部１２１には、照度センサ１１により所定のサンプリング周期にて検出された検出値が与えられる。Ａ／Ｄ変換部１２１は、与えられたアナログ信号をデジタル信号に変換して、変換されたデジタル信号を出力決定部１２２に与える。
【００３６】
出力決定部１２２は、記憶部１２３に記憶されている制御プログラム及び判定値を読込み、読込まれた制御プログラムに従って、Ａ／Ｄ変換部１２１を介して与えられた照度センサ１１の検出値と記憶部１２３から読込まれた判定値とを用いて、照明装置１の周囲の明るさに応じた光源１３の光出力の目標値を決定する。なお、目標値は、照度センサ１１の検出値をタイマー部１２４により計時された所定の平均化時間において平均化した値を基に決定される。出力決定部１２２は、決定した目標値を出力制御部１２５に与える。
【００３７】
出力制御部１２５には、光源１３が接続してある。光源１３は、図１に示すように、矩形板状をなす基板と、該基板にマトリックス状に設けられた複数のＬＥＤとを備えてなる。出力制御部１２５は、出力決定部１２２により与えられた目標値に応じて調光信号を生成し、生成された調光信号に応じて光源１３を発光させることにより調光制御を行う。なお、調光信号は、ＬＥＤの電流−輝度特性に従った電流信号であり、例えば、アナログ電流信号、パルス幅変調信号等の信号である。
【００３８】
制御部１２の出力決定部１２２には、赤外線通信部１４が接続してあり、赤外線通信部１４は、電動ブラインド２からの信号を受信し、出力決定部１２２に与える。また、赤外線通信部１４は、リモコン３からの信号を受信し、出力決定部１２２に与える。なお、リモコン３は、扁平な略直方体状をなす筐体を有しており、筐体の一面には、使用者が操作するための複数のキーが設けてあり、筐体の一端には、キーの操作に応じた信号の送信を行う赤外線通信部（図示せず）が設けてある。複数のキーは、点灯／消灯する操作を受け付ける電源キー、光源１３の光出力レベルを変更する操作を受け付ける光出力レベル変更キー、自動キー、＋、−及びＲの感度調整用キー（変更手段）等により構成される。出力決定部１２２は、与えられた信号に基づき、光源１３の光出力を決定するように構成してある。
【００３９】
電動ブラインド２は、上下方向に並列に配された複数のスラット２１と、該スラット２１に接続され、スラット２１の角度変更及び／又は昇降動作を行う駆動部（駆動手段）２２と、該駆動部２２の動作を制御する駆動制御部２３と、スラット２１の角度及び／又は昇降等に対する使用者の操作を受け付ける操作部２４と、照明装置１と通信を行う赤外線通信部２５と、建物全体のブラインドを制御するブラインド集中制御装置４との通信を行うネットワーク通信部２６とを備えている。なお、駆動制御部２３には、駆動部２２、操作部２４、赤外線通信部２５及びネットワーク通信部２６が夫々接続してある。
【００４０】
電動ブラインド２は、ブラインド集中制御装置４により与えられた指示に応じて、窓から室内への光の入射が最適になるようにスラット２１を調節するように構成してある。例えば、季節、電動ブラインド２が設けられた窓の方向（例えば南面）、時間帯に応じて、ブラインド集中制御装置４によりネットワーク通信部２６を介して駆動制御部２３に指示が与えられ、駆動制御部２３は与えられた指示に従ってスラット２１の角度変更及び／又は昇降動作を行わせるように構成してある。これにより、例えば、日中は電動ブラインド２を開状態（スラット２１を上昇させた状態にて固定して窓から室内に入射する光を制御していない状態）にして太陽光等の室外光を取り込む一方、西日が室内に入射する夕方の時間帯は、スラット２１の角度制御により使用者の顔面又はディスプレイの画面に西日が直接当らないようにスラット２１の角度を変更して、室外光を部分的に適切に取り入れる制御をなすことができる。また、電動ブラインド２は、電動ブラインド２に個別に設けてある操作部２４により電動ブラインド２の開閉状態の変更が可能なように構成してあり、これにより使用者は好みに応じて前記開閉状態を変更することができる。
【００４１】
このような電動ブラインド２のスラット２１の角度及び昇降により決まる電動ブラインド２の開閉状態を示す情報は、赤外線通信部２５により、照明装置１の赤外線通信部１４を介して制御部１２に与えられる。
【００４２】
図３は、実施の形態１に係る照明装置１の調光制御の処理手順を示すフローチャートである。制御部１２は、照明装置１の電源投入後、光源１３を上限出力にて点灯する（ステップＳ１）と共に、電動ブラインド２から該電動ブラインド２の開閉状態を示す情報を取込む（ステップＳ２）。上限出力として、例えば、１００％出力が設定してある。なお、この上限出力は、リモコン３等を用いて設定することにより変更可能なように構成してある。なお、電動ブラインド２の開閉状態を示す情報は、スラット２１の角度及び昇降状態により表される。
【００４３】
ステップＳ２において取込まれた電動ブラインド２の開閉状態を示す情報に基づいて、記憶部１２３に記憶されている照度に対する判定値を読出して設定する（ステップＳ３）。
【００４４】
次に、照度センサ１１により与えられた検出値を取込み（ステップＳ４）、再度電動ブラインド２から該電動ブラインド２の開閉状態を示す情報を取込む（ステップＳ５）。
【００４５】
ステップＳ５において取込まれた電動ブラインド２の開閉状態を示す情報に基づいて、スラット２１の角度が変更になった等の電動ブラインド２に状態変化があったか否かを判定する（ステップＳ６）。ステップＳ６において、電動ブラインド２に状態変化があった場合、換言すると、スラット２１の角度変更又は昇降動作がなされた場合（ステップＳ６：ＹＥＳ）、その状態変化が所定の状態変化か否かを判定する（ステップＳ７）。なお、所定の状態変化は、例えば、電動ブラインド２が開状態から閉状態に変更された場合、スラット２１の角度が４５°などの一定状態から閉状態に変更された場合等である。一方、ステップＳ６において、電動ブラインド２に状態変化がなかった場合（ステップＳ６：ＮＯ）、ステップＳ１０に進む。
【００４６】
ステップＳ７において、電動ブラインド２に所定の状態変化があった場合（ステップＳ７：ＹＥＳ）、ステップＳ８に進む。一方、ステップＳ７において、電動ブラインド２に所定の状態変化がなかった場合（ステップＳ７：ＮＯ）、ステップＳ３に戻って一連の動作を繰り返す。
【００４７】
ステップＳ８において、ステップＳ５において取込まれた電動ブラインド２の開閉状態を示す情報に基づいて、記憶部１２３に記憶されている照度に対する判定値を読出して設定する。次に、照度センサ１１により与えられた検出値を取込み（ステップＳ９）、ステップＳ１０に進む。
【００４８】
ステップＳ１０において、ステップＳ４（又はステップＳ９）において取込まれた照度センサの検出値と、ステップＳ３（又はステップＳ８）において設定された照度に対する判定値とを用いて、光源出力レベルの判定を行う。
【００４９】
なお、この光源出力レベルの判定に用いられる照度は、照度センサ１１の検出値を用いて、タイマー部１２４にて計時した所定の平均化時間において平均化した照度を用いている。この平均化時間は、ステップＳ４において取込まれた照度センサの検出値を用いる場合（電動ブラインド２に所定の状態変化がない場合）と、ステップＳ９において取込まれた照度センサの検出値を用いる場合（電動ブラインド２に所定の状態変化がある場合）とで異ならせており、後者の平均化時間は、前者の通常の調光制御における平均化時間よりも短い時間になるように設定してある。
【００５０】
前者の場合に平均化時間を長くしているのは、太陽に雲がかかるなどの天候変化による室外光の急激な明るさの変化に対して、その都度光源１３の調光制御を頻繁に変化させないようにして、使用者に違和感の無い調光制御を行うためである。平均化時間の間は、調光制御ができないから、電動ブラインド２に所定の状態変化がある場合、即ち、例えば、電動ブラインド２が開状態から閉状態に変更された場合、スラット２１の角度が４５°などの一定状態から閉状態に変更された場合は、ステップＳ８において、記憶部１２３に記憶されている電動ブラインド２の開閉状態に対応した判定値を読み出して設定して、通常の平均化時間よりも短い時間で、照度センサ１１の検出値から照度を求め、求めた照度に基づいて光源出力レベルの判定を行うように構成してある。この結果、天候の変化でない人為的なブラインド状態の変化による明るさの変化に対して、より短時間にて適切な照度になるように調光制御を行うことができる。
【００５１】
このような照度に基づく光源出力レベルの判定は、本実施の形態においては、表１に示すテーブルを用いて行う。表１の左側の列は、前述の如く平均化された照度に対する照度レベルの判定条件を示しており、右側の列は、判定条件により分類される照度レベルに対応する最適な照明装置１の光源１３の出力レベルを示している。
【００５２】
【表１】
2010186700.tif 000003
【００５３】
照度レベルは、表１に示すように、判定値である６つの閾値ＴＨｊ（ｊ＝１，２，…６）により７段階の照度レベルに分類される。この照度レベルの分類に応じて、７段階の出力レベル（５％，３０％，４０％，５０％，６０％，７０％，１００％）が予め設定してある。これにより周囲の明るさに応じて光源１３の光出力の目標値（7段階の出力レベルのうち何れか一つ）が決定される。
【００５４】
なお、表１に示す６つの閾値ＴＨｊ（ｊ＝１，２，…６）は、例えば、照度センサ１１により与えられた電圧値であり、閾値ＴＨ６＞ＴＨ５＞ＴＨ４＞ＴＨ３＞ＴＨ２＞ＴＨ１となっており、電圧値が大きいほど室内の照度は高くなる。従って、判定に用いられる閾値の数字が大きい照度レベルほど、室内は明るい状態であることを意味する。調光制御としては、目標値である出力レベルを低くしても良いことになり、照度≧ＴＨ６であれば５％出力レベルを、照度≧ＴＨ５であれば３０％出力レベルを、照度≧ＴＨ４であれば４０％出力レベルを、照度≧ＴＨ３であれば５０％出力レベルを、照度≧ＴＨ２であれば６０％出力レベルを、照度≧ＴＨ１であれば７０％出力レベルを、照度＜ＴＨ１であれば１００％出力レベルを光出力の目標値として決定する。
【００５５】
また、この閾値ＴＨｊ（ｊ＝１，２，…６）は、電動ブラインド２のスラット２１の角度及び／又は開閉状態により設定される値であり、表２に示すテーブルを用いて、現在のブラインド状態により判定条件に用いられる判定値である閾値の設定を行う。
【００５６】
【表２】
2010186700.tif 000004
【００５７】
表１の一列目に示す判定値である閾値は、表２に示すように、電動ブラインド２の３段階の開閉状態（開、閉、スラット状態１）に応じて決定してある。電動ブラインド２が開状態、換言すると、スラット２１を上昇させた状態にて固定して窓から室内に入射する光を制御していない状態である場合は、判定値である閾値ＴＨｊ（ｊ＝１，２，…６）として基準値ｔｈｊ（ｊ＝１，２，…６）を設定する。基準値ｔｈｊ（ｊ＝１，２，…６）は、電動ブラインド２が開状態において、この基準値ｔｈｊ（ｊ＝１，２，…６）に応じて決定した出力レベルにて照明装置１を点灯させたときに、室内の照度が適切な照度になるように設定してある。
【００５８】
また、電動ブラインド２が閉状態、換言すると、スタット２１を下降させた状態にてスラット２１を閉じた状態にて固定して窓からの光を遮蔽して室外光を取入れない状態である場合は、判定値である閾値ＴＨｊ（ｊ＝１，２，…６）として、基準値ｔｈｊ（ｊ＝１，２，…６）から所定の補正値Ａを減算した値（ｔｈｊ−Ａ）を設定する。これは、夜間に電動ブラインド２を閉じることにより照明装置１の光源１３の光が、電動ブラインド２が閉状態のスラット２１により反射されることにより、電動ブラインド２が開状態である場合と比較して照度センサ１１により検出された照度が同じ値であっても、机上照度がより明るくなる事を補正する意味を持つ。
【００５９】
また、電動ブラインド２がスラット状態１、換言すると、スラット２１の角度が４５度で、室外光を天井方向に導くように制限している状態である場合、判定値である閾値ＴＨｊ（ｊ＝１，２，…６）として、基準値ｔｈｊ（ｊ＝１，２，…６）に所定の補正値Ｂを加算した値（ｔｈｊ＋Ｂ）を設定する。これは、室外光により天井部分が明るくなり、必要とする机上照度が低いにもかかわらず、照度センサ１１が明るいと検出してしまう事を補正する意味を持つ。
【００６０】
このように、電動ブラインド２の開閉状態に応じて判定に用いる閾値ＴＨｊを変更するから、電動ブラインド２の閉状態でのスラット２１における反射の影響又は電動ブラインド２のスラット２１の角度により生じた机上照度と照度センサ１１の検出値とのズレを補正することができ、窓からの室外光の入射状況に応じた最適な調光制御を行うことができる。
【００６１】
以上に述べた照度レベルを判定する判定値である閾値ＴＨｊを、使用者によるリモコン３の操作に応じて、感度をマイナス調整又はプラス調整することが可能なように構成してある。この感度調整に用いるテーブルを表３に示す。
【００６２】
【表３】
2010186700.tif 000005
【００６３】
出力決定部１２２は、表３に示すように、−１の感度マイナス調整を示す信号を受信すると、例えば閾値ＴＨ６の場合、ＴＨ６×（１−Ｋ１）を新たな閾値ＡＴＨ６として設定する。このように各閾値ＴＨｊに対して所定の補正値Ｋ１を乗算した分（ＴＨｊ×Ｋ１）だけを差引く調整を行う。このように判定に用いる閾値を下げることは、照度センサ１１により与えられた照度が低くても、光源の出力レベルを下げる方向にシフトさせることであり、目標調光照度を暗くする調整となる。
【００６４】
また、＋１の感度プラス調整の信号を受信すると、例えば閾値ＴＨ６の場合、ＴＨ６×（１＋Ｋ１）を新たな閾値ＡＴＨ６として設定する。このように各閾値ＴＨｊに対して所定の補正値Ｋ１を乗算した分（ＴＨｊ×Ｋ１）だけを加える調整を行う。このように判定に用いる閾値を上げることは、照度センサ１１により与えられた照度が高くても、光源の出力レベルを上げる方向にシフトさせることであり、目標調光照度を明るくする調整となる。
【００６５】
このように使用者のリモコン３の操作により、照度レベルを判定する判定値である閾値ＴＨｊをプラス調整又はマイナス調整することができるから、設置場所の窓からの距離、天井及び床面の反射率の違いによる照度センサの計測値の違いを補正すべく、又は作業内容若しくは使用者の好みに応じて使用者が必要とする机上の明るさを変更することができ、使用者の便宜に資する。
【００６６】
次に、ステップＳ１０において判定した光源出力レベルの結果に応じて、現在の光源出力レベルから変更する必要があるか否かを判定する（ステップＳ１１）。この光源出力レベルの変更の必要の有無の判定は、ステップＳ１０において判定した光源１３の光出力の目標値である光源出力レベルと現在の光源出力レベルとが異なっているか否かによりなされる。
【００６７】
ステップＳ１１において、光源出力レベルを変更する必要があると判定された場合（ステップＳ１１：ＹＥＳ）、出力決定部１２２は光源１３の出力レベルの変更の処理を行って、変更された光出力の目標値を出力制御部１２５に与え、出力制御部１２５は前記目標値になるように光源１３を調光制御して（ステップＳ１２）、ステップＳ４に戻って、電源が遮断されるまで一連の動作を繰り返す。
【００６８】
一方、ステップＳ１１において、光源出力レベルを変更する必要がないと判定された場合（ステップＳ１１：ＮＯ）、光出力の目標値を変更することなく、現在の光出力にて光源１３を点灯した状態にて、ステップＳ４に戻って一連の動作を繰り返す。
【００６９】
以上のように構成された実施の形態１に係る照明制御システムにおいては、ブラインド集中制御装置４及び電動ブラインド２の操作部２４によりなされた使用者に最適な電動ブラインド２に対する制御に対応した電動ブラインド２の開閉状態を示す情報が照明装置１に与えられる。この与えられた電動ブラインド２の開閉状態を示す情報に基づいて、照明装置１の調光制御の判定に用いられる閾値ＴＨｊのテーブルを表２に示す如く変更している。即ち、周囲の明るさに応じて決定される光源１３の光出力の目標値を電動ブラインド２の開閉状態を示す情報に基づいて補正している。この結果、電動ブラインド２により制限しながら室外光を取り入れる場合においても、適切な照度を得ることが可能となる。電動ブラインド２の開閉状態を示す情報に基づいて、照明装置１の調光制御を行っているから、使用者の好みに応じて電動ブラインド２の状態を変更した場合においても、適切な調光制御を行うことができ、使用者の利便に資する。
【００７０】
また、リモコン３により前記目標値を変更する操作を受け付けるように構成してあるから、設置場所の窓からの距離、天井及び床面の反射率の違いによる照度センサの計測値の違いを補正すべく、又は使用者の好みにより、照度センサ１１の計測値に対する調光制御の目標値を変更して、所望の明るさを得ることができる。この結果、使用者の利便に資すると共に、照明装置１の調光制御を適切に行うことができる。
【００７１】
また、電動ブラインド２に所定の状態変化があると判定されたとき、光源１３の光出力を制御する調光制御時間を変えるように構成してある。例えば、遮光手段としてのブラインドを開状態から閉状態へと変更した場合に、換言すると天候の変化ではなく人為的な操作により明るさが変化した場合に、通常の調光制御時間よりも短くしているから、短時間で必要な調光制御を行うことが可能となり、使用者の利便に資する。
【００７２】
また、照明装置１と電動ブラインド２との通信を赤外線通信により行うように構成してあるから、赤外線送信部と赤外線受信部の向きを合わせることで、通信の指向性を持たせることができ、アドレスの設定等の複雑な初期設定作業を必要とせずに、１対１や、１対複数の照明装置１と電動ブラインド２のグループ設定が可能となる。また、照明装置の赤外線通信部１４は、調光操作及び／又は感度調整用のリモコン３との通信部を兼用することができ、安価にシステムを構成することが可能となる。なお、通信方式は赤外線通信方式に限るものではなく、短距離無線通信などで実現しても良いことは言うまでもない。
【００７３】
なお、本実施の形態においては、出力レベルが７段階であり、電動ブラインド３の開閉状態が開、閉及びスラット状態１の３段階である場合について説明したが、これに限定するものではない。出力レベル及び開閉状態の段階が多い方が、よりきめ細かな調光制御が可能となり、より望ましい。
【００７４】
また、本実施の形態においては、電動ブラインド３の開閉状態に応じて判定に用いる閾値に補正値を加算／減算することにより前記閾値を補正しているが、これに限定されず、電動ブラインド３の開閉状態に応じて光源１３の光出力の目標値を補正することが可能なように構成してあればよい。例えば、電動ブラインド３の開閉状態に応じて複数のテーブルを予め用意し、これらのテーブルから該当するテーブルを選択することにより、閾値を補正するようにしてもよい。
【００７５】
また、本実施の形態においては、感度調整をする際に、判定に用いる閾値に補正値を乗算した分だけ加算／減算して前記閾値を変更することにより感度をプラス調整／マイナス調整するように構成してあるが、感度調整の度合いの数だけ複数のテーブルを予め用意し、これらのテーブルから該当するテーブルを選択することにより、閾値を変更して感度を調整するように構成してもよい。
【００７６】
また、本実施の形態においては、照度センサ１１の検出値の平均化時間を短縮することにより、調光制御時間を短縮するように構成してあるが、ステップＳ１２における光源出力制御処理において調光変化を滑らかに行うため一定時間をかけて段階的に調光変化を行うように構成した場合は、この調光変化を行う時間を短縮することにより、調光制御時間を短縮するように構成してもよい。
【００７７】
（実施の形態２）
図４は、本発明の実施の形態２に係る照明制御システムの主要部の制御系の構成を示すブロック図である。出力決定部１２２には、照明装置１の下方（光源１３が照らす範囲）を検出範囲とするように、照明装置１の適宜部位に設けられた人感センサ１５が接続してある。人感センサ１５は、赤外線を受光して信号を出力する赤外線センサであり、熱起電力効果を利用したサーモパイル、焦電効果を利用した焦電体等、公知の赤外線センサを用いることができる。なお、赤外線センサに限らず、人の存／否を検知できるセンサであれば、赤外線センサの代わりに適用可能である。その他の構成は、図２に示す実施の形態１と同様であるため、対応する構成に図２と同一の参照符号を付して、その構成の詳細な説明を省略する。
【００７８】
人感センサ１５は、検出した人の存／否に応じた信号を出力決定部１２２に与える。出力決定部１２２は、与えられた信号に応じて人の存／否を判定し、判定した人の存／否に応じて、判定値を変更するように構成してある。具体的には、検出範囲内に人が存在すると判定したときは、実施の形態１において述べたように調光制御を行い、検出範囲内に人が存在しないと判定したときは、判定値である閾値ＴＨｊ（ｊ＝１，２，…６）を０Ｖに設定する。これは、検出範囲内に人が居ない場合は、そもそも照度を作業に適した照度に制御する必要がない為である。この結果、検出範囲内に人が居ない場合は、常に出力レベル５％の最低出力レベルにて光源１３を点灯することになり、無駄な調光制御を行うことなく、照明装置１の省エネ性能を高めることができる。
【００７９】
なお、以上の実施の形態においては、遮光手段として電動ブラインド２を用いた場合について説明したが、これに限定されず、ロールスクリーンなどの他方式の遮光手段や、電動ではなく手動ブラインドであっても、室外光の入射制限の状態を照明装置１に知らせる機能があればよい。
【００８０】
また、以上の実施の形態においては、照明装置１が各別のリモコン３を有しているように構成しているが、複数の照明装置が一つのリモコンを共有するように構成してもよいことは言うまでもない。また、以上の実施の形態においては、照明装置１及び電動ブラインド２は各１つの場合について述べたが、複数ある場合についても適用可能である。
【００８１】
また、以上の実施の形態においては、室外光を遮蔽するように電動ブラインド２を窓に設けているが、これに限定されず、他の光源からの光を遮蔽するように設けてあればよい。即ち、本発明は、他の光源（太陽、他の照明装置等）からの光の入射の状態に応じて照明装置１の調光制御が行われるように構成された照明制御システムに適用することが可能である。
【００８２】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）、蛍光灯、電球等を用いてもよい。
【００８３】
また、以上の実施の形態においては、室内に設置され、部屋を全体的に照明する照明装置を例に説明したが、これに限定されず、他のタイプの照明装置にも適用可能である。更に、本発明は、特許請求の範囲に記載した事項の範囲内において種々変更した形態にて実施することが可能であることは言うまでもない。
【符号の説明】
【００８４】
１  照明装置
１１  照度センサ
１２  制御部
１２２  出力決定部（決定手段、補正手段）
１２５  出力制御部（制御手段）
１３  光源
１４  赤外線通信部（受信手段）
１５  人感センサ（人検出手段）
２  電動ブラインド（遮光手段）
２１  スラット
２２  駆動部（駆動手段）
２５  赤外線通信部（送信手段）
３  赤外線リモートコントローラ（変更手段）
４  ブラインド集中制御装置
【図１】
2010186700.tif 000006
【図２】
2010186700.tif 000007
【図３】
2010186700.tif 000008
【図４】
2010186700.tif 000009